(57)【要約】【課題】転写具における逆転防止機構の従来の消音構成は、正転時における爪とラチェット歯の接触音を抑制することができず、また、転写テープの送り出しや巻き取りの駆動に悪影響をおよぼす可能性がある、といった問題点を解消する。【解決手段】本発明の消音逆転防止機構を備えた転写具１は、送出軸部４、巻取軸部５の一方又は両方に設られ、逆転時に面当たりする側に、正転方向に上り勾配状の面（案内面６Ａａ）と径方向に直線状の面（直径面６Ａｂ）とによる係止部６Ａが形成された駆動ギヤ６と、この駆動ギヤ６と噛合し、逆転時に面当たりする側に、径方向に直線状の面（直径面７Ａａ）とこれに直交する外周の面（外周面７Ａｂ）とによる係合部７Ａが形成された従動ギヤ７と、を備えることとした。【選択図】図１
2010284922.tif 000002
【特許請求の範囲】
【請求項１】
転写媒体を塗布した基材を巻装した送出軸部と、被転写体に転写媒体を転写した後の基材を巻き取る巻取軸部と、使用時に被転写体に押し付けつつ移動させることで転写媒体を塗布した基材を送出軸部から送り出し、被転写体に転写媒体を転写し、該基材を巻取軸部へ送る転写部と、前記送出軸部と巻取軸部の使用時とは反対の回転を防止する逆転防止機構と、を備えた転写具において、前記送出軸部、巻取軸部の一方又は両方に設られ、逆転時に面当たりする側に、正転方向に上り勾配状の面と径方向に直線状の面とによる係止部が形成された駆動ギヤと、この駆動ギヤと噛合し、逆転時に面当たりする側に、径方向に直線状の面とこれに直交する外周の面とによる係合部が形成された従動ギヤと、を備えたことを特徴とする消音逆転防止機構を備えた転写具。
【発明の詳細な説明】
【技術分野】
【０００１】
本発明は、正転時には使用に何らの影響をおよぶことなく消音し、逆転時には消音と共に確実に逆転を防止する消音逆転防止機構を備えた転写具に関するものである。
【背景技術】
【０００２】
転写媒体を紙などの被転写体に転写する転写具は、筐体、送出軸部、巻取軸部、及び転写部を備えている。送出軸部は、転写媒体を塗布した基材をその回転により送り出し、巻取軸部は、被転写体に転写媒体を転写した後の基材をその回転により巻き取る。
【０００３】
巻取軸部と送出軸部は、例えばギアが噛合しており、基材の送り出しによる送出軸部の回転に伴って巻取軸部も回転する。転写部は、筐体の一端部に形成した開口から突出した状態で設けている。転写部は、転写媒体を塗布した基材を送出軸部から送り出し、被転写体に転写媒体を転写し、その後、該基材を巻取軸部へ送る。
【０００４】
上記の例えば送出軸部には、該送出軸部の逆転による転写媒体を塗布した基材（以下、転写テープという）の巻き戻りを防止すべく、逆転防止機構が設けられている。この逆転防止機構は、例えば筐体の内面に、例えば垂直面及びこの垂直面の頂点から下り勾配の傾斜面を有する断面三角形状のラチェット歯と、例えば送出軸部における前記筐体の内面に臨む箇所に、ラチェット歯の垂直面と対向した垂直状の係止面及びこの係止面の頂点からラチェット歯の斜面と対向した傾斜した滑面を有する断面三角形状の爪と、からなる。
【０００５】
前記逆転防止機構は、送出軸部が正転するときは爪の滑面がラチェット歯の斜面を連続的に乗り越えて回転するが、逆転しようとすると、ラチェット歯の垂直面と爪の係止面とが当接して回転しない。こうした構成の逆転防止機構は、爪とラチェット歯とによる音が生じて耳障りになるといった問題があった。
【０００６】
そこで、例えば下記の特許文献１〜５には、転写具の逆転防止機構について正転時の上記の音を抑制する消音構造が開示されている。
【先行技術文献】
【特許文献】
【０００７】
【特許文献１】特開２００２−１４４７８９号公報
【特許文献２】特開２００３−５４１９１号公報
【特許文献３】特開２００３−１４５９９６号公報
【特許文献４】特開２００５−４７２０１号公報
【特許文献５】特開２００５−２１９２７７号公報
【０００８】
特許文献１には、爪の先端部をラチェット歯の形成面から所定距離だけ離間させると共に、ラチェット歯を断面長方形状又は正方形状とする構成が開示されている。
【０００９】
特許文献２には、巻取軸部の軸端を遊嵌枢支する筐体の対向する両内面にそれぞれ狭窄部と非狭窄部とが連続した軸受部が形成され、該送出軸部を通常時に軸受部における狭窄部に付勢する付勢手段が設けられ、該送出軸部が、正転時には非狭窄部に移動し、回転停止時又は逆転時には付勢手段により狭窄部に移動する構成が開示されている。
【００１０】
特許文献３には、筐体内面に送出軸部と同心円状で半径方向内向きの歯丈の短いラチェット歯が形成され、送出軸部の一端部において半径方向外向きの爪がアームを介して形成される構成が開示されている。
【００１１】
特許文献４には、送出軸部の内部に、その両軸端内面に端部が固定されたコイルばねが設けられ、このコイルばねの内周部にギヤの軸部が挿入された構成が開示されている。
【００１２】
特許文献５には、ラチェット歯間の形成面に開口を設けて、該ラチェット歯を乗り越えた爪の弾性（復元）により該形成面を叩かないように構成している。
【００１３】
しかし、これら特許文献１〜５の技術は、それぞれ次の課題があった。
すなわち、特許文献１，３，５は、いずれも相対移動する爪がラチェット歯に接触する構成である、つまり移動する一方（爪）が固定配置された他方（ラチェット歯）に対して接触する構成であるため、該ラチェット歯と爪との移動時の接触音がどうしても発生することになる。
【００１４】
特許文献２は、巻取軸部が付勢手段で付勢しているとしても正転時に非狭窄部位に遊嵌しているので該巻取軸部が不安定でがたつきが生じて転写具の使用操作（以下、走行という）も不安定になると共に、このがたつきを抑制すべく付勢手段の付勢力を高くすると操作に力を要するといったいわゆる走行が重くなるという現象が生じる。
【００１５】
特許文献４は、ギヤの軸部の外径に対するコイルばねの内径との隙間の制御が製造時に極めて困難で、この隙間が大きいと逆転防止が上手く機能せず、隙間が小さいとすぐに回転が阻止され走行不能となり、また隙間が無い（接触状態）であると走行が重くなるという現象が生じる。
【発明の概要】
【発明が解決しようとする課題】
【００１６】
解決しようとする問題点は、従来の逆転防止機構における消音構造は、特許文献１，３，５では正転時における爪とラチェット歯の接触音を抑制することができない点、特許文献２は送出軸部が不安定でがたつきが生じて転写具の使用操作（以下、走行という）も不安定になる点、また、特許文献４は送出軸部の外径に対するコイルばねの内径との隙間の制御が製造時に極めて困難で、隙間が大きいと逆転防止が上手く機能せず、隙間が小さいとすぐに回転が阻止され走行不能となり、また隙間が無い（接触状態）であると走行が重くなる点、を解消することである。
【課題を解決するための手段】
【００１７】
本発明の消音逆転防止機構を備えた転写具は、送出軸部、巻取軸部の一方又は両方に設られ、逆転時に面当たりする側に、正転方向に上り勾配状の面と径方向に直線状の面とによる係止部が形成された駆動ギヤと、この駆動ギヤと噛合し、逆転時に面当たりする側に、径方向に直線状の面とこれに直交する外周の面とによる係合部が形成された従動ギヤと、を備えたことをことを最も主要な特徴とする。
【発明の効果】
【００１８】
上記構成によれば、駆動ギヤと従動ギヤは、互いの正転時に面当たりする側においては、通常のギヤと同じインボリュート曲面のそれぞれの歯面が互いにその歯たけを超えるまで逃げるように接触して互いに（正）回転する。
【００１９】
一方、逆転時には、逆転時に面当たりする側に、駆動ギヤは係止部が、従動ギヤは係合部がそれぞれ設けられているから、これら係止部と係合部とが係合・係止されて接触はするが互いに逃げることなく、つまり引っ掛かった状態となるから、互いの（逆）回転がここで停止する。
【００２０】
駆動ギヤと従動ギヤは、上記のとおり、互いに正転しかつ互いに逆転を防止する、つまり逆転を防止する際にも、移動する一方に対して固定された他方とが当接するという構造ではなく、互いに逆回転しようとする状態から互いに逆回転を阻止するよう機能するので、音が確実に抑制される。
【００２１】
また、本発明の消音逆転防止機構を備えた転写具は、例えば送出軸部を付勢手段で付勢した状態で非狭窄部に位置させる構成でも、逆回転時にコイルばねの内径を小さくしてギヤの軸部の回転を止める構成でもなく、駆動ギヤと従動ギヤは互いの回転に対して通常の噛合以上の負荷がかかることがないので、走行には何らの支障がない。
【図面の簡単な説明】
【００２２】
【図１】図１は本発明の消音逆転防止機構を備えた転写具を示す分解斜視図である（実施例１）。
【図２】図２は消音逆転防止機構を備えた転写具における駆動ギヤであり、（ａ）は斜視図、（ｂ）は正面図、である（実施例１）。
【図３】図３は消音逆転防止機構を備えた転写具における従動ギヤであり、（ａ）は斜視図、（ｂ）は正面図、である（実施例１）。
【図４】図４は消音逆転防止機構を備えた転写具における正転時の状況を示し、（ａ）は説明に必要な部位を示した正面図、（ｂ）は（ａ）の要部拡大図、である（実施例１）。
【図５】図５は消音逆転防止機構を備えた転写具における逆転時の状況を示し、（ａ）は説明に必要な部位を示した正面図、（ｂ）は（ａ）の要部拡大図、である（実施例１）。
【発明を実施するための形態】
【００２３】
本発明は、従来の爪とラチェット歯という移動側と固定側の関係に起因した音の発生の点と（正転時の）走行に支障が生じる点を、互いに回転する駆動ギヤと従動ギヤを備える構成とすることで、正転時も逆転時も、音を確実に抑制しかつ正転時の走行と逆転防止を含めた一切の使用に何らの支障も生じないようにすることができた。
【実施例１】
【００２４】
以下に、本発明の消音逆転防止機構を備えた転写具（以下、転写具という）の実施例を説明する。本発明の転写具１は、図１に示すような構成とされている。２は、図示省略した基材上に転写媒体を塗布した転写テープの幅方向で分割した筐体２Ａ，２Ｂ（総称するときは筐体２と記す）からなる筐体である。
【００２５】
この筐体２は、筐体２Ａ，２Ｂの各々の長手方向の一端に開口２ａが形成されており、この開口２ａから後述する転写部３の一部が露出する。また、筐体２Ｂの下面にはその長手方向における開口２ａ側に移動させることで転写部３を保護し、前記とは逆に移動させることで転写部３の保護状態を解除するカバー２Ｃがスライド可能に設けられている。
【００２６】
また、筐体２Ａの内面には、後述の送出軸部４及び駆動ギヤ６を枢支する軸２Ａｘと、後述の巻取軸部５を枢支する軸２Ａｙと、が筐体２Ｂ側へ向けて立設されている。さらに、筐体２Ａの内面には、後述の従動ギヤ７や中間ギヤＰの枢支軸（参照番号無）や、筐体２Ｂと一体となるべく係合部（参照番号無）が形成されている。
【００２７】
３は、被転写体に押しつつ筐体２の長手方向の他端側に移動させることで、転写テープを後述の送出軸部４から送り出し、被転写体に転写テープのうちの転写媒体を転写し、転写テープのうちの被転写体に転写媒体を転写した後の基材を巻き取るように送る転写部である。転写部３は、本例では例えばローラ状のものが用いられる。
【００２８】
転写部３は、筐体２Ａの内面に設けられた支持柱２ｂと、筐体２Ｂの内面に設けられた支持孔２ｃと、の間に、支持部３ａが支持されている。また、本例では、この支持部３ａに、筐体２Ａ，２Ｂの閉状態のロックを行うロック機構３Ａが設けられている。
【００２９】
ロック機構３Ａは、次の構成とされている。操作用のレバー３Ａａは、図示ではレバー３Ａａが筐体２内に位置するように見せているが実際はこのレバー３Ａａが筐体２Ｂに形成された円弧状の孔２Ｂａの外側に位置する。ロック軸３Ａｂは、筐体２Ａの支持柱２ｂに枢支され、この枢支面に例えば断面長円状のロック爪（不図示）が形成されている。
【００３０】
一方、筐体２Ａの支持柱２ｂの軸端面には同じく長円状のロック凹部２Ａａが形成されている。ロック軸３Ａｂの上記ロック爪が形成された側と反対面、すなわち筐体２Ｂに臨む面には、該筐体２Ｂの支持孔２ｃに回転可能に係合する爪部３Ａｃが形成されている。
【００３１】
要するに、本例の転写具１は、転写テープの転写媒体を全て使い切って基材が巻き取られた後、新たな転写テープを装填（以下、詰め替えという）する際に、筐体２Ａ，２Ｂを開閉することを想定した構成とされている。
【００３２】
ロック機構３Ａのレバー３Ａａ、ロック軸３Ａｂ、爪部３Ａｃは、これらを一体として該爪部３Ａｃにより筐体２Ｂの支持孔２ｃに設けられることになる。レバー３Ａａを孔２Ｂａに沿って操作し、ロック爪と凹部２Ａａの形状を軸方向で一致させると、該ロック爪が凹部２Ａａから抜けて筐体２Ａ，２Ｂの閉状態のロックが解除される。また、ロック爪を凹部２Ａａ内に挿入した状態でレバー３Ａａを前記とは逆に操作すると、軸方向に形状が不一致になり閉状態がロックされる。
【００３３】
４は、転写テープを巻装した送出軸部であり、この送出軸部４は、転写テープを巻装するコア４ａと、本例では詰め替えタイプの転写具１であることから、該コア４ａにその軸部が内嵌されて周方向に連動すると共に軸方向に装脱可能とする装脱部４ｂとを有する。
【００３４】
５は、転写テープのうち転写部３により被転写体に転写媒体を転写した後の基材を巻き取る巻取軸部であり、この巻取軸部５は、基材を巻き取るコア５ａと、本例では詰め替えタイプの転写具１であることから、該コア５ａにその軸部が内嵌されて周方向に連動すると共に該コア５ａを軸方向に装脱可能とする装脱部５ｂとを有する。
【００３５】
また、本例では、巻取軸部５における装脱部５ｂの筐体２Ａ側の面に、同軸にて一体的にギヤ５ｃが形成されている。このギヤ５ｃは、本例では例えば中間ギヤＰを介して後述する駆動ギヤ６と噛合する。なお、これらギヤ５ｃと中間ギヤＰは、本例においては通常の歯面形状である。
【００３６】
６は、本例では例えば送出軸部４側に設けられ、該送出軸部４の回転を巻取軸部５へ伝達するための駆動ギヤである。駆動ギヤ６は、送出軸部４の装脱部４ｂにおける例えば筐体２Ａ側の面に設けられたフランジ部６ａと、フランジ部６ａの中央に形成された孔と内径を同等にして装脱部４ｂに内嵌されると共に該装脱部４ｂと周方向に連動するよう突設された軸部６ｂとを有している。
【００３７】
また、駆動ギヤ６の歯は、フランジ部６ａの周縁部において、正転時に面当たりする側には通常のインボリュート曲面による歯面６Ｐが、逆転時に面当たりする側には該フランジ部６ａから外側に延びた面から折れ曲がって正転方向に上り勾配状とされた案内面６Ａａと、この案内面６Ａと連続して径方向に直線状とされた直径面６Ａｂとがあり、案内面６Ａａと直径面６Ａｂによる角部に形成された係止部６Ａが、形成されている。
【００３８】
係止部６Ａの、案内面６Ａａと直径面６Ａｂによる角度は、例えば本例では１２０°としている。そして係止部６Ａの角度は１１０°〜１３０°で変更してもよい。係止部６Ａの角度が１１０°より小さい角度であると、逆転時に隣接する歯を飛び越える歯飛びを起こして確実に逆転防止の機能がなされないことがある。また、係止部６Ａの角度が１３０°より大きい角度であると、逆転時に駆動ギヤ６の案内面６Ａａと後述の従動ギヤ７の外周面７Ａｂとが面当たりせずに逆転防止機能がなされないことがある。
【００３９】
７は、本例では駆動ギヤ６にのみ噛合する従動ギヤである。この従動ギヤ７は、フランジ面７ａ上の中央に立設された軸部７ｂを中心に次の構成の係合部７Ａが放射状に形成されている。
【００４０】
係合部７Ａは、逆転時に面当たりする側に、径方向に直線状とされた直径面７Ａａと、これに直交する外周縁部の外周面７Ａｂと、により構成される。なお、係合部７Ａの正転時に面当たりする側は通常のインボリュート曲面による歯面７Ｐが形成されている。
【００４１】
上記構成の転写具１は、正転時には、駆動ギヤ６の歯面６Ｐと、従動ギヤ７の歯面７Ｐ、すなわち通常の歯面同士が噛合して互いに回転する。このとき、駆動ギヤ６の歯６Ｐと中間ギヤＰとが噛合しているので、駆動ギヤ６の正転回転は中間ギヤＰを介して巻取軸部５のギヤ５ｃに伝達される。
【００４２】
駆動ギヤ６、従動ギヤ７、中間ギヤＰ、ギヤ５ｃは、いずれも正転を許容するが固定された（回転しない）といった関係で噛合していない、つまり相互の噛合状態において移動側と固定側との関係が存在しない。したがって、駆動ギヤ６を起点としたときには、この駆動ギヤ６の回転に伴ってすべてが（正）回転するから、移動側と固定側との衝突音は発生せず、したがってほとんど音が生じない。
【００４３】
上記正転時は歯面６Ｐと歯面７Ｐが歯たけを超えるまで互いに逃げるように接触し続けるが、逆転時は、従動ギヤ７の直径面７Ａａが係止部６Ａの直径面６Ａｂの最外周部に接触し、その後、従動ギヤ７の次の歯の外周面７Ａｂが駆動ギヤ６の次の歯の案内面６Ａａにより係止部６Ａまで案内され、この係止部６Ａの直径面６Ａｂにおいて係合部７Ａを逃がさずに当接係合状態となる。
【００４４】
上記作用により駆動ギヤ６と従動ギヤ７とは互いに逆転が阻止され、該駆動ギヤ６が逆転しないから、中間ギヤＰを介した巻取軸部５のギヤ５ｃも逆転しない。この逆転時においても、駆動ギヤ６と従動ギヤ７とが互いに逆転しようとして、外周面７Ａｂが案内面６Ａａにより係止部６Ａまで案内された後に逆転が阻止される、つまり相互に（逆）回転状況下で回転が停止するから、衝突音は発生せず、したがってほとんど音が生じない。
【００４５】
また、正転時、駆動ギヤ６、従動ギヤ７、中間ギヤＰ、ギヤ５ｃは通常の噛合状態で動力を伝達しているに過ぎないので、逆転防止機構を備えることに起因して走行に悪影響をおよぼすこともない。
【００４６】
上記では、駆動ギヤ６が送出軸部４側に設けられた態様を示したが、送出軸部４側に上記例で示した巻取軸部５のギヤ５ｃに相当する通常のギヤを設けて、巻取軸部５側に駆動ギヤを設けると共に、この駆動ギヤに従動ギヤ７が噛合する構成としてもよい。
【００４７】
上記のように変形したとしても、逆転防止機能を有することに起因した、正転及び逆転（阻止）時も音はほとんど無く、また、走行上の悪影響も何ら発生することがなく、確実な逆転防止機能と消音とが達成される。
【符号の説明】
【００４８】
１  （消音逆転防止機能を有した）転写具
２  筐体
３  転写部
４  送出軸部
５  巻取軸部
６  駆動ギヤ
６Ａ  係止部
６Ａａ  案内面
６Ａｂ  直径面
７  従動ギヤ
７Ａ  係合部
７Ａａ  直径面
７Ａｂ  外周面
【図１】
2010284922.tif 000003
【図２】
2010284922.tif 000004
【図３】
2010284922.tif 000005
【図４】
2010284922.tif 000006
【図５】
2010284922.tif 000007